(57)【要約】【課題】特権が与えられたユーザーだけにアーティストが特別に提供するコンテンツを提供できるコンテンツサービスシステム。【解決手段】（１）コンサート会場でアーティストグッズを購入する。このアーティストグッズは、アーティストが特別に提供するコンテンツをストリーミング配信またはダウンロードするために必要なパスコードとセットになって販売される。全てのアーティストグッズには、異なるパスコードが付けられている。（２）アーティストグッズを着用してコンサートを楽しむ。（３）携帯端末１００からコンテンツ提供Ｗｅｂサイトにアクセスし、アーティストグッズに係るアーティストを選択し、パスコードを入力するとアーティストのコンテンツが携帯端末１００にストリーミング配信またはダウンロードされる。（４）ユーザーがストリーミング配信またはダウンロードされたアーティストのコンテンツを携帯端末１００で楽しむことができる。【選択図】図１
2016126655.tif 000002
【特許請求の範囲】
【請求項１】
Ｗｅｂサーバーから端末装置にコンテンツを提供するコンテンツサービスシステムであって、
前記端末装置は、
パスコードを設定するパスコード設定手段と、
選択されたアーティスト名と設定された前記パスコードを格納したアーティスト特設サイト認証データを前記Ｗｅｂサーバーに送信するアーティスト特設サイト認証データ送信手段と、
前記Ｗｅｂサーバーからコンテンツデータを受信するコンテンツデータ受信手段と
を備え、
前記Ｗｅｂサーバーは、
前記アーティスト特設サイト認証データを受信するアーティスト特設サイト認証データ受信手段と、
前記アーティスト特設サイト認証データに格納されている前記アーティスト名と前記パスコードにより前記コンテンツの提供を許可するか否かを判定するコンテンツ提供判定手段と、
前記コンテンツ提供判定手段により前記コンテンツの提供を許可すると判定されたときに、前記アーティスト名に対応する前記コンテンツデータを前記端末装置に送信するコンテンツデータ送信手段と
を備える
ことを特徴とするコンテンツサービスシステム。
【請求項２】
前記端末装置は、
「アーティスト名」と、「再生」又は「ダウンロード」を格納したアーティストコンテンツ要求データをＷｅｂサーバーに送信するアーティストコンテンツ要求データ送信手段を備え、
前記Ｗｅｂサーバーは、
前記アーティストコンテンツ要求データを前記端末装置から受信するアーティストコンテンツ要求データ受信手段を備え、
前記コンテンツデータ送信手段は、再生要求であるときには保存しているコンテンツデータをストリーミング方式で送信し、ダウンロード要求であるときには保存しているコンテンツデータを送信することを特徴とする請求項１に記載のコンテンツサービスシステム。
【請求項３】
前記端末装置は、
コンテンツ提供サイトページを要求するコンテンツ提供サイトページ要求データを前記Ｗｅｂサーバーに送信するコンテンツ提供サイトページ要求データ送信手段と、
コンテンツ提供サイトページデータを前記Ｗｅｂサーバーから受信するコンテンツ提供サイトページデータ受信手段と、
前記コンテンツ提供サイトページデータにより複数のアーティスト画像が表示された前記コンテンツ提供サイトページを表示するコンテンツ提供サイトページ表示手段と、
前記コンテンツ提供サイトページから前記アーティスト画像の１つがポイントされたときに、パスコード設定エリアが設けられたアーティスト特設サイトログインページを表示するアーティスト特設サイトログインページ表示手段と
を備え、
前記Ｗｅｂサーバーは、
前記コンテンツ提供サイトページ要求データを受信するコンテンツ提供サイトページ要求データ受信手段と、
前記コンテンツ提供サイトページデータを送信するコンテンツ提供サイトページデータ送信手段とを備える
ことを特徴とする請求項１または請求項２に記載のコンテンツサービスシステム。
【発明の詳細な説明】
【技術分野】
【０００１】
本発明は、アーティストが提供する音楽、映像、写真、言葉、歌詞、またはメッセージなど（以下、「コンテンツ」という）を提供するコンテンツサービスシステムに関する。
【０００２】
近年、タブレット端末、スマートフォン、及び携帯電話などの携帯端末を用いて、ユーザーは、音楽や映像をインターネットのサイトから購入またはアーティストのファンクラブのメンバーであるなどの特権を有することで、携帯端末にアーティストの音楽や映像を配信またはダウンロードすることができる。このように、携帯端末に音楽や映像を配信またはダウンロードすることで、ユーザーはＣＤ（Compact Disc）またはＤＶＤ（digital versatile disc）などの媒体を購入せずに、手軽にアーティストの音楽や映像を楽しむことができる。しかし、ユーザーが料金を支払うことで配信またはダウンロードが許可される音楽や映像を、無断で配信またはダウンロードされると、アーティストが制作した音楽や映像が購入されなくなる。また、ユーザーが料金を支払うことで得られる特権により配信またはダウンロードが許可される音楽や映像を、無断で配信またはダウンロードされると、ユーザーは特権を得るための料金を支払うことがなくなる。従って、アーティストは、制作した音楽や映像に対する制作費用を得ることができなくなる。このため、アーティストが制作した音楽や映像が無断で配信またはダウンロードされることを防止する対策が行われている。例えば、特許文献１の音楽配信システムでは、インターネットから配信される曲の音楽データに固有の識別情報を付加し、特定のＣＤに記録された音楽データの識別情報とが一致するか否かを判別して、一致した場合に配信された曲の音楽データが再生できるようにしている。これにより、アーティストのＣＤを保持している優遇したい顧客のユーザーだけがインターネットから配信されるアーティストの曲を聴くことができるようにしている。
【先行技術文献】
【特許文献】
【０００３】
【特許文献１】特開２００２−２０２７８３号公報
【発明の概要】
【発明が解決しようとする課題】
【０００４】
しかし、特許文献１の音楽配信システムでは、再生装置のＣＤプレイヤーにＣＤを装着し、再生装置がＣＤに記録された音楽データの識別情報を読み出すので、ＣＤプレイヤーを備えた再生装置が必要となる。また、アーティストのコンサートなどでアーティストの缶バッチやＴシャツなどのグッズ（以下、「アーティストグッズ」という）を購入したユーザーに特権を与え、特権が与えられたユーザーだけにアーティストが特別に提供するコンテンツの配信やダウンロードを許可することができないという問題があった。
【０００５】
本発明はこのような状況に鑑みてなされたものであり、上記課題を解決できるコンテンツサービスシステムを提供することを目的とする。
【課題を解決するための手段】
【０００６】
本発明のコンテンツサービスシステムは、Ｗｅｂサーバーから端末装置にコンテンツを提供するコンテンツサービスシステムであって、前記端末装置は、パスコードを設定するパスコード設定手段と、選択されたアーティスト名と設定された前記パスコードを格納したアーティスト特設サイト認証データを前記Ｗｅｂサーバーに送信するアーティスト特設サイト認証データ送信手段と、前記Ｗｅｂサーバーからコンテンツデータを受信するコンテンツデータ受信手段とを備え、前記Ｗｅｂサーバーは、前記アーティスト特設サイト認証データを受信するアーティスト特設サイト認証データ受信手段と、前記アーティスト特設サイト認証データに格納されている前記アーティスト名と前記パスコードにより前記コンテンツの提供を許可するか否かを判定するコンテンツ提供判定手段と、前記コンテンツ提供判定手段により前記コンテンツの提供を許可すると判定されたときに、前記アーティスト名に対応する前記コンテンツデータを前記端末装置に送信するコンテンツデータ送信手段とを備えることを特徴としている。
また、本発明のコンテンツサービスシステムの前記端末装置は、「アーティスト名」と、「再生」又は「ダウンロード」を格納したアーティストコンテンツ要求データをＷｅｂサーバーに送信するアーティストコンテンツ要求データ送信手段を備え、前記Ｗｅｂサーバーは、前記アーティストコンテンツ要求データを前記端末装置から受信するアーティストコンテンツ要求データ受信手段を備え、前記コンテンツデータ送信手段は、再生要求であるときには保存しているコンテンツデータをストリーミング方式で送信し、ダウンロード要求であるときには保存しているコンテンツデータを送信することを特徴としている。
また、本発明のコンテンツサービスシステムの前記端末装置は、コンテンツ提供サイトページを要求するコンテンツ提供サイトページ要求データを前記Ｗｅｂサーバーに送信するコンテンツ提供サイトページ要求データ送信手段と、コンテンツ提供サイトページデータを前記Ｗｅｂサーバーから受信するコンテンツ提供サイトページデータ受信手段と、前記コンテンツ提供サイトページデータにより複数のアーティスト画像が表示された前記コンテンツ提供サイトページを表示するコンテンツ提供サイトページ表示手段と、前記コンテンツ提供サイトページから前記アーティスト画像の１つがポイントされたときに、パスコード設定エリアが設けられたアーティスト特設サイトログインページを表示するアーティスト特設サイトログインページ表示手段とを備え、前記Ｗｅｂサーバーは、前記コンテンツ提供サイトページ要求データを受信するコンテンツ提供サイトページ要求データ受信手段と、前記コンテンツ提供サイトページデータを送信するコンテンツ提供サイトページデータ送信手段とを備えることを特徴としている。
【発明の効果】
【０００７】
本発明によれば、アーティストグッズを購入したユーザーに特権を与え、特権が与えられたユーザーだけにアーティストが特別に提供するコンテンツの配信やダウンロードを許可するコンテンツサービスシステムを提供できる。
【図面の簡単な説明】
【０００８】
【図１】本発明の実施の形態に係るコンテンツサービス手順を示す図である。
【図２】本発明の実施形態に係るアーティストが特別に提供するコンテンツを再生する携帯端末の操作手順を説明する図である。
【図３】本発明の実施形態に係るコンテンツサービスシステムのシステム構成を示す図である。
【図４】本発明の実施形態に係るコンテンツサービスシステムの機能構成を示す図である。
【図５】本発明の実施形態に係るＷｅｂサイトパスコード記憶エリアとコンテンツデータ保存ボックスの構成を示す図である。
【図６】本発明の実施形態に係るコンテンツ提供処理の流れを示すフローチャートである。
【発明を実施するための形態】
【０００９】
以下、本発明を実施するための形態（以下、「実施形態」という）を、図面を参照して説明する。
【００１０】
最初に、コンテンツサービスシステム１０におけるラカストコンテンツサービス（以下、「コンテンツサービス」という）の手順について、図１を用いて説明する。以下、図１の（１）から（４）の順で説明する。
まず、（１）において、ユーザーがアーティストのコンサート会場に行き、コンサート来場者限定で販売されるアーティストグッズの缶バッチまたはＴシャツを購入する。このアーティストグッズは、アーティストが特別に提供するコンテンツをインターネットなどのネットワークを通じて映像や音声などのマルチメディアデータを視聴するときに、データを受信しながら同時に再生を行う方式であるストリーミングを用いて配信（以下、「ストリーミング配信」という）またはダウンロードするために必要なコード（以下、「パスコード」という）とセットになって販売される。全てのアーティストグッズには、異なるパスコードが付けられている。次いで、（２）において、ユーザーが缶バッチを付け又はＴシャツを着用してコンサートを楽しむ。次いで、（３）において、ユーザーが携帯端末１００からアーティストのコンテンツをストリーミング配信するＷｅｂサイトにアクセスし、アーティストグッズに係るアーティストを選択し、アーティストグッズとセットで販売されたパスコードを入力すると、アーティストのコンテンツが携帯端末１００にストリーミング配信またはダウンロードされる。次いで、（４）において、ユーザーがストリーミング配信またはダウンロードされたアーティストのコンテンツを携帯端末１００で楽しむことができる。
【００１１】
次に、アーティストが特別に提供するコンテンツを再生する携帯端末１００の操作手順について、図２を用いて説明する。
【００１２】
まず、ユーザーは、アーティストのコンテンツを提供するＷｅｂサイト（以下、「コンテンツ提供Ｗｅｂサイト」という）のアドレスであるＵＲＬ（Uniform Resource Locator）とパスコードが印刷された用紙をアーティストグッズの包袋から取り出す。なお、コンテンツ提供ＷｅｂサイトのＵＲＬとパスコードについては、アーティストグッズに印刷可能であれば、アーティストグッズそのものに印刷してもよい。次いで、ユーザーが携帯端末１００からコンテンツ提供ＷｅｂサイトのＵＲＬを入力すると、図２（１）に示すように、携帯端末１００にコンテンツ提供サイトページ２０が表示される。
【００１３】
次いで、ユーザーは、コンテンツ提供サイトページ２０からアーティストグッズに係る「アーティスト」画像２１を選択してポイントすると、図２（２）に示すように、アーティストグッズに係るアーティストの特設サイトにログインするためのページ（以下、「アーティスト特設サイトログインページ」）３０が表示される。アーティスト特設サイトログインページ３０には、ログインを許可するか否かを判定するパスコードを入力する「パスコード」設定エリア３１と、ログイン処理を実行するための「ログイン」ボタン３２が設けられている。例えば、ユーザーがコンテンツ提供サイトページ２０からアーティストＢの「アーティスト」画像２１をポイントしたときには、アーティストＢのアーティスト特設サイトログインページ３０が表示される。
【００１４】
次いで、ユーザーがアーティスト特設サイトログインページの「パスコード」設定エリア３１にアーティストグッズとセットになっているパスコードを設定し、次に「ログイン」ボタン３２をポイントすると、図２（３）に示すように、携帯端末１００にアーティスト特設サイトページ４０が表示される。アーティスト特設サイトページ４０には、コンテンツをストリーミング配信して視聴する「再生」ボタン４１と、コンテンツをダウンロードする「ダウンロード」ボタン４２が設けられている。ユーザーが「再生」ボタン４１をポイントすると、コンテンツ提供Ｗｅｂサイトからアーティストのコンテンツデータがストリーミング配信され、携帯端末１００にアーティストのコンテンツが視聴できる。また、ユーザーが「ダウンロード」ボタン４２をポイントすると、コンテンツ提供Ｗｅｂサイトからアーティストのコンテンツデータがダウンロードされ、携帯端末１００に記憶される。記憶されたアーティストのコンテンツデータは、ユーザーが視聴したいときに再生することができる。
【００１５】
次に、本実施形態のコンテンツサービスシステム１０のシステム構成について、図３を用いて説明する。図３に示すように、コンテンツサービスシステム１０は、複数の携帯端末１００、Ｗｅｂサーバー２００、インターネット３００、アクセスポイント４００、及びルーター５００を備えている。
【００１６】
携帯端末１００は、タブレット端末、スマートフォン、及び携帯電話等である。携帯端末１００は、アクセスポイント４００によりインターネット３００に接続し、インターネット３００に接続されているＷｅｂサーバー２００のコンテンツ提供Ｗｅｂサイトから音楽や映像を受信する。
【００１７】
Ｗｅｂサーバー２００は、コンテンツ提供ＷｅｂサイトのＷｅｂサーバーである。Ｗｅｂサーバー２００は、ルーター５００によりインターネット３００に接続し、インターネット３００に接続されている携帯端末１００にコンテンツ提供Ｗｅｂサイトから音楽や映像を送信する。
【００１８】
インターネット３００は、インターネットやイントラネット等のＩＰネットワークであり、複数の携帯端末１００やＷｅｂサーバー２００を接続する。
【００１９】
アクセスポイント４００は、無線通信によりアクセスポイント４００に対して接続要求を行っている携帯端末１００をインターネット３００に接続する。
【００２０】
ルーター５００は、Ｗｅｂサーバー２００をインターネット３００に接続する。
【００２１】
次に、携帯端末１００の機能構成について図４を用いて説明する。図４に示すように携帯端末１００は、制御部１１０、記憶部１２０、操作パネル１３０、操作パネル処理部１４０、音声映像再生処理部１５０、及びネットワーク通信部１６０を備え、これら各部はバスなどにより接続される構成となっている。また、制御部１１０には、Ｗｅｂサイトクライアント処理部１１０ａが設けられている。記憶部１２０には、コンテンツデータ記憶エリア１２０ａが設けられている。
【００２２】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェイス、バスコントローラー等を含む総合的な携帯端末１００のコントロールを行う。
Ｗｅｂサイトクライアント処理部１１０ａは、Ｗｅｂサーバー２００からコンテンツ提供Ｗｅｂサイトのページを受信し、またコンテンツ提供Ｗｅｂサイトが提供する音楽や映像を受信する。Ｗｅｂサイトクライアント処理部１１０ａが実行するＷｅｂサイトクライアント処理の詳細については、後述する。
【００２３】
記憶部１２０は、フラッシュメモリ等からなる記憶装置で、制御部１１０が実行する処理のプログラムやデータを記憶する。
コンテンツデータ記憶エリア１２０ａは、コンテンツ提供Ｗｅｂサイトからダウンロードしたコンテンツデータを記憶する。
【００２４】
操作パネル１３０は、液晶パネルとスピーカーを備え、操作メニューの表示、ユーザーの指による操作やデータの設定、及び音声の出力が行われる。また、ユーザーは、操作パネル１３０によりＷｅｂサーバーから受信したコンテンツの音声や映像を視聴することができる。なお、音声については、操作パネル１３０のスピーカーや操作パネル１３０に接続するイヤホンから出力される。
【００２５】
操作パネル処理部１４０は、携帯端末１００が備えている機能の操作項目を操作パネル１３０に表示する処理、ユーザーが行う操作に対する操作データ、及びユーザーが行う設定に対する設定データを操作パネル１３０から入力する処理、及びコンテンツの音声や映像を操作パネル１３０に出力する処理を行う。
【００２６】
音声映像再生処理部１５０は、コンテンツ提供Ｗｅｂサイトからダウンロードした音声や映像を再生する。
【００２７】
ネットワーク通信部１６０は、アクセスポイント４００を経由してインターネット３００に接続するため通信インターフェイスを備えている。通信インターフェイスには、ＴＣＰ／ＩＰ等の各種ネットワークプロトコルにより送受信を行うネットワーク部を含んでいる。
【００２８】
次に、Ｗｅｂサーバー２００の機能構成について図４を用いて説明する。図４に示すようにＷｅｂサーバー２００は、制御部２１０、記憶部２２０、保存部２３０、ネットワーク通信部２４０、及び操作表示部２５０を備え、これら各部はバスなどにより接続される構成となっている。また、制御部２１０には、Ｗｅｂサイトサーバー処理部２１０ａが設けられている。記憶部２２０には、Ｗｅｂサイトページデータ記憶エリア２２０ａとＷｅｂサイトパスコード記憶エリア２２０ｂが設けられている。保存部２３０には、コンテンツデータ保存ボックス２３０ａが設けられている。
【００２９】
制御部２１０は、ＲＡＭやＲＯＭ等の主記憶手段、及びＣＰＵ(Central Processing Unit)等の制御手段を備えている。また、制御部２１０は、各種Ｉ／Ｏや、ＵＳＢ（ユニバーサル・シリアル・バス）等のインターフェイス、バスコントローラー等を含む総合的なＷｅｂサーバー２００のコントロールを行う。
Ｗｅｂサイトサーバー処理部２１０ａは、Ｗｅｂサーバー２００のクライアントである携帯端末１００にコンテンツ提供Ｗｅｂサイトのページを送信し、またコンテンツ提供Ｗｅｂサイトが提供する音楽や映像を送信する。Ｗｅｂサイトサーバー処理部２１０ａが実行するＷｅｂサイトサーバー処理の詳細については、後述する。
【００３０】
記憶部２２０は、フラッシュメモリ等からなる記憶装置で、制御部２１０が実行する処理のプログラムやデータを記憶する。
Ｗｅｂサイトページデータ記憶エリア２２０ａは、コンテンツ提供Ｗｅｂサイトが携帯端末１００に送信するコンテンツ提供Ｗｅｂサイトのページデータを記憶する。
Ｗｅｂサイトパスコード記憶エリア２２０ｂは、コンテンツの提供を許可するか否かを判定するためのパスコードを記憶する。Ｗｅｂサイトパスコード記憶エリア２２０ｂの詳細については、後述する。
【００３１】
保存部２３０は、データやプログラムを保存するフラッシュメモリやハードディスクドライブ等からなる記憶装置である。
コンテンツデータ保存ボックス２３０ａは、アーティスト別にアーティストエリアが設けられ、アーティストが提供するコンテンツを保存する。コンテンツ保存ボックス２３０ａの詳細については、後述する。
【００３２】
ネットワーク通信部２４０は、ルーター５００を経由してインターネット３００に接続するため通信インターフェイスを備えている。通信インターフェイスには、ＴＣＰ／ＩＰ等の各種ネットワークプロトコルにより送受信を行うネットワーク部を含んでいる。
【００３３】
操作表示部２５０は、Ｗｅｂサーバー２００に対する操作を入力し、また操作結果や通知を表示する。
【００３４】
次に、Ｗｅｂサイトパスコード記憶エリア２２０ｂについて、図５（１）を用いて説明する。Ｗｅｂサイトパスコード記憶エリア２２０ｂは、個々のアーティストグッズに付けられ、ユーザーに対してコンテンツの提供を許可するか否かを判定するための複数の異なるパスコードを記憶する。Ｗｅｂサイトパスコード記憶エリア２２０ｂは、図５（１）に示すように複数のアーティスト別エリア２２０ｂ−ｅから構成されている。また、各々のアーティスト別エリア２２０ｂ−ｅには、アーティストに係る個々のアーティストグッズに付けられた複数の異なるパスコードが記憶される。
【００３５】
次に、コンテンツデータ保存ボックス２３０ａについて、図５（２）を用いて説明する。コンテンツデータ保存ボックス２３０ａは、各々のアーティストが提供するコンテンツを保存する。コンテンツデータ保存ボックス２３０ａは、図５（２）に示すように複数のアーティスト別エリア２３０ａ−ｅから構成されている。また、各々のアーティスト別エリア２３０ａ−ｅには、アーティストが提供するコンテンツに係るコンテンツタイトル、コンテンツ提供期限、及びコンテンツデータが格納される。
【００３６】
次に、コンテンツサービスシステム１０におけるコンテンツ提供処理について、図６を用いて説明する。以下、図６に示すコンテンツ提供処理のフローチャートのステップ順に、コンテンツ提供処理の流れを説明する。
【００３７】
ユーザーが携帯端末１００からアーティストグッズに付けられているコンテンツ提供ＷｅｂサイトのＵＲＬとパスコードを確認する。そして、携帯端末１００の操作パネル１３０からコンテンツ提供ＷｅｂサイトのＵＲＬを設定すると、操作パネル１３０は、コンテンツ提供ＷｅｂサイトのＵＲＬを操作パネル処理部１４０に出力する。これにより、操作パネル処理部１４０の操作パネル処理が開始される。
【００３８】
（ステップＳ１０１）
まず、操作パネル処理部１４０は、ユーザーがコンテンツ提供ＷｅｂサイトのＵＲＬを入力すると、制御部１１０にコンテンツ提供サイトのＵＲＬを格納したＷｅｂサイト表示要求通知を出力する。
【００３９】
（ステップＳ１０２）
次いで、制御部１１０は、Ｗｅｂサイト表示要求通知を入力すると、Ｗｅｂサイトクライアント処理部１１０ａを起動する。Ｗｅｂサイトクライアント処理部１１０ａが起動されると、Ｗｅｂサイトクライアント処理部１１０ａは、Ｗｅｂサイト表示要求通知からコンテンツ提供サイトのＵＲＬを取り出す。
【００４０】
（ステップＳ１０３）
次いで、Ｗｅｂサイトクライアント処理部１１０ａは、コンテンツ提供サイトページ要求データをコンテンツ提供ＷｅｂサイトのＵＲＬのＷｅｂサーバー（以下、「Ｗｅｂサーバー」という）２００に送信する。
【００４１】
（ステップＳ１０４）
次いで、Ｗｅｂサーバー２００の制御部２１０は、コンテンツ提供サイトページ要求データを受信すると、制御部２１０がＷｅｂサイトサーバー処理部２１０ａを起動する。Ｗｅｂサイトサーバー処理部２１０ａが起動されると、Ｗｅｂサイトサーバー処理部２１０ａは、Ｗｅｂサイトページデータ記憶エリア２２０ａからコンテンツ提供サイトページデータを取り出す。
【００４２】
（ステップＳ１０５）
Ｗｅｂサイトサーバー処理部２１０ａは、コンテンツ提供サイトページデータをコンテンツ提供サイトページ要求データの送信元である携帯端末（以下、「携帯端末」という）１００に送信する。
【００４３】
（ステップＳ１０６）
次いで、Ｗｅｂサイトクライアント処理部１１０ａは、コンテンツ提供サイトページデータを受信すると、図２（１）に示すコンテンツ提供サイトページ２０を操作パネル１３０に表示する。
【００４４】
（ステップＳ１０７）
次いで、ユーザーが図２（１）に示すコンテンツ提供サイトページ２０の中から購入したアーティストグッズに係る「アーティスト」画像２１をポイントすると、Ｗｅｂサイトクライアント処理部１１０ａは、ポイントされた「アーティスト」画像２１に対応する図２（２）に示すアーティスト特設サイトログインページ３０を表示する。
【００４５】
（ステップＳ１０８）
次いで、ユーザーがアーティスト特設サイトログインページ３０の「パスコード」設定エリア３１にパスコードを設定し、「ログイン」ボタン３２をポイントすると、Ｗｅｂサイトクライアント処理部１１０ａは、「アーティスト名」と「パスコード」を格納したアーティスト特設サイト認証データをＷｅｂサーバー２００に送信する。
【００４６】
（ステップＳ１０９）
次いで、Ｗｅｂサイトサーバー処理部２１０ａは、アーティスト特設サイト認証データを受信すると、アーティスト特設サイト認証データから「アーティスト名」と「パスコード」を取り出す。
【００４７】
（ステップＳ１１０）
次いで、Ｗｅｂサイトサーバー処理部２１０ａは、Ｗｅｂサイトパスコード記憶エリア２２０ｂの「アーティスト名」に対応するアーティスト別エリア２２０ｂ−ｅに「パスコード」と同じパスコードが存在しているかを判定する。「パスコード」と同じパスコードが存在しているとき（ステップＳ１１０のＹｅｓ）は、ステップＳ１１１に進む。「パスコード」と同じパスコードが存在していないとき（ステップＳ１１０のＮｏ）は、ステップＳ１１９に進む。
【００４８】
（ステップＳ１１１）
ステップＳ１１０のＹｅｓにおいて、Ｗｅｂサイトサーバー処理部２１０ａは、コンテンツデータ保存ボックス２３０ｂの「アーティスト名」に対応する「コンテンツ提供期限」の期間内であるかを判定する。コンテンツ提供期限の期間内であるとき（ステップＳ１１１のＹｅｓ）は、ステップＳ１１２に進む。コンテンツ提供期限の期間内でないとき（ステップＳ１１１のＮｏ）は、ステップＳ１２１に進む。
【００４９】
（ステップＳ１１２）
ステップＳ１１１のＹｅｓにおいて、Ｗｅｂサイトサーバー処理部２１０ａは、Ｗｅｂサイトページデータ記憶エリア２２０ａから「アーティスト名」に対応するアーティスト特設サイトページデータを取り出す。
【００５０】
（ステップＳ１１３）
Ｗｅｂサイトサーバー処理部２１０ａは、アーティスト特設サイトページデータを携帯端末１００に送信する。
【００５１】
（ステップＳ１１４）
次いで、Ｗｅｂサイトクライアント処理部１１０ａは、アーティスト特設サイトログインページデータを受信すると、図２（３）に示すアーティスト特設サイトページ４０を表示する。
【００５２】
（ステップＳ１１５）
次いで、ユーザーがアーティスト特設サイトページ４０の「再生」ボタン４１または「ダウンロード」ボタン４２のどちらかをポイントすると、Ｗｅｂサイトクライアント処理部１１０ａは、「アーティスト名」と、「再生」又は「ダウンロード」を格納したアーティストコンテンツ要求データをＷｅｂサーバー２００に送信する。
【００５３】
（ステップＳ１１６）
次いで、Ｗｅｂサイトサーバー処理部２１０ａは、アーティストコンテンツ要求データを受信すると、アーティストコンテンツ要求データから「アーティスト名」を取り出し、コンテンツデータ保存ボックス２３０ａから「アーティスト名」に対応するコンテンツデータを取り出す。
【００５４】
（ステップＳ１１７）
次いで、Ｗｅｂサイトサーバー処理部２１０ａは、アーティストコンテンツ要求データから「再生」又は「ダウンロード」を取り出す。Ｗｅｂサイトサーバー処理部２１０ａは、「再生」を取り出したときには、コンテンツデータをストリーミング方式で携帯端末１００に送信する。また、Ｗｅｂサイトサーバー処理部２１０ａは、「ダウンロード」を取り出したときには、ストリーミング方式とせずにコンテンツデータを携帯端末１００に送信する。なお、Ｗｅｂサイトサーバー処理部２１０ａは、異なる携帯端末１００から送信されたアーティストコンテンツ要求データのパスコードが同じ「パスコード」であった場合には、コンテンツの同時提供を許可しない。
【００５５】
（ステップＳ１１８）
次いで、Ｗｅｂサイトクライアント処理部１１０ａは、Ｗｅｂサーバー２００からコンテンツデータを受信する。Ｗｅｂサイトクライアント処理部１１０ａは、「再生」ボタン４１がポイントされているときには、コンテンツデータを操作パネル１３０に出力する。また、Ｗｅｂサイトクライアント処理部１１０ａは、「ダウンロード」ボタン４２がポイントされているときには、コンテンツデータをコンテンツデータ記憶エリア１２０ａに記憶する。
【００５６】
（ステップＳ１１９）
ステップＳ１１０のＮｏにおいて、Ｗｅｂサイトサーバー処理部２１０ａは、パスコードエラー通知データを携帯端末１００に送信する。
【００５７】
（ステップＳ１２０）
次いで、Ｗｅｂサイトクライアント処理部１１０ａは、パスコードエラー通知データを受信すると、「パスコード」エラーを通知するメッセージを操作パネル１３０に表示する。
【００５８】
（ステップＳ１２１）
ステップＳ１１１のＮｏにおいて、Ｗｅｂサイトサーバー処理部２１０ａは、コンテンツ提供期限切れ通知データを携帯端末１００に送信する。
【００５９】
（ステップＳ１２２）
次いで、Ｗｅｂサイトクライアント処理部１１０ａは、コンテンツ提供期限切れ通知データを受信すると、コンテンツが提供できる期限を過ぎていることを通知するメッセージを操作パネル１３０に表示する。
【００６０】
以上のような実施形態のコンテンツサービスシステム１０において、パスコードを入手したユーザーだけがアーティストが特別に提供するコンテンツを楽しめることができるので、コンサートの来場者に対して限定品のアーティストグッズとパスコードをセットにすることで、よりユーザーの購入意欲を高めることができる。また、ユーザーは、パスコードを入手しないとコンテンツが視聴できないときには、コンテンツに価値があると思い、コンテンツを視聴する可能性が高い。これにより、次に販売する曲や次回のコンサート、アーティストのＣＤやＤＶＤなどが購入できるＷｅｂサイト、又はアーティストが独自に開設しているＨＰ（ホームページ）などのアーティスト情報もコンテンツに含めることで、アーティストはユーザーに対するプロモーションを容易に行うことができる。また、アーティストも有料でコンテンツを提供することにより、価値のあるコンテンツにしようとする意欲が高まる。また、新人アーティストは、一般販売されるＣＤやＤＶＤを制作することが費用などの面で困難な場合が多いが、コンテンツであれば安価で制作することができるので、ユーザーに自分達の曲を聴いてもらえる機会を増やすことができる。また、ユーザーは、アーティストが特別に提供するコンテンツのストリーミング配信やダウンロードの両方を容易に携帯端末１００で行うことができる。
【００６１】
なお、実施形態においては、アーティストグッズをコンサート来場者限定の販売品としたが、これに限らない。例えば、アーティストのＨＰやアーティストが所属する音楽事務所などのＨＰなどで通信販売してもよい。このように販売されたアーティストグッズにもパスコードが付けられ、アーティストグッズとパスコードがセットで販売される。また、ＣＤ、ＤＶＤ、書籍、カード、などの様々なものをアーティストグッズとすることができる。更に、アーティストグッズのみならず、パスコードが印字できるもの、また、印刷したパスコードを貼り付けたものや、パスコードを印字したものを封入や付随させることができるもの全般に適用することができる。例えば、ＣＤとＤＶＤとパスコードをセットで販売、またはＣＤとアーティストグッズとパスコードをセットで販売することも可能である。
【００６２】
また、実施形態においては、コンテンツのストリーミング配信とダウンロードの両方を可能としたが、コンテンツのストリーミング配信だけを行うようにすることで、コンテンツが無断でコピーされることを防止することができる。
【００６３】
また、実施形態においては、アーティストは１つのコンテンツを提供する場合について説明したが、アーティストが同時に複数のコンテンツを提供することも可能である。この場合には、パスコードの他にコンテンツコードを設け、アーティストグッズをコンテンツコードとパスコードの両方をセットで販売する。ユーザーは、アーティスト特設サイトログインページ３０からコンテンツコードとパスコードを設定する。また、図５（１）に示すように、Ｗｅｂサイトパスコード記憶エリア２２０ｂのアーティスト別エリア２２０ａ−ｅをコンテンツコード毎に分け、このコンテンツコード毎に分けられたエリアにコンテンツコードに対応する複数のパスコードを記憶する。また、図５（２）に示すように、コンテンツ保存ボックス２３０ａのアーティスト別エリア２３０ａ−ｅをコンテンツコード毎に分け、このコンテンツコード毎に分けられたエリアにコンテンツコードに対応するコンテンツデータを保存する。このように変更することで、Ｗｅｂサーバー２００は、設定されたンテンツコードのコンテンツデータを携帯端末１００に送信することができ、ユーザーは、携帯端末１００から設定したテンツコードのコンテンツを視聴できる。
【００６４】
また、実施形態においては、携帯端末１００は、タブレット端末、スマートフォン、及び携帯電話等として説明したが、ノートＰＣ（パソコン）またはデスクトップＰＣ（パソコン）を含めた装置（以下、「端末装置」という）も可能である。
【００６５】
また、実施形態においては、パスコードが使用できる携帯端末１００を限定にしていないが、パスコードを最初に入力した携帯端末１００のＩＰアドレスに限定するなどの制限を行うことで、パスコードが使用できる携帯端末１００を１台に制限することができる。また、実施形態においては、パスコードを何回も入力できるようにしたが、１パスコードに対して、１つのコンテンツでしか配信できないようにすることができる。このように、パスコードが使用できる携帯端末１００の限定やコンテンツの配信回数の制限を行うことも可能である。
【００６６】
また、実施形態のコンテンツサービスシステム１０のサイトページに、ＨＰ（ホームページ）、各種ＳＮＳ（ソーシャル・ネットワーキング・サービス）、アーティストの特別提供品の購入機能、またはチケット販売機能などのさまざまな機能にリンクできるようにすることも可能である。
【００６７】
また、実施形態においては、途中でコンテンツの入れ替えを行うことも可能である。これにより、１つのパスコードでユーザーは複数のコンテンツを、長期に渡り、インタラクティブに楽しむことができる。
【００６８】
また、実施形態においては、視覚で検知できるものや聴覚で検知できるものなどの様々なコンテンツをアーティストのリクエストに合わせて福笑いのように自由自在に組み合わせたオリジナルのコンテンツとすることも可能である。つまり、見るもの、聞くもの、読むものを網羅した幾つものプレーヤーを用意することで、アーティスト毎にカスタマイズしたオリジナルのコンテンツページを作り、ユーザーに提供できる。
【００６９】
また、実施形態において、配信するコンテンツに著作権が設定されているときには、コンテンツサービスシステム１０の管理者は、コンテンツの著作権使用料を支払う必要がある。このような場合では、コンテンツの著作権を保持している管理団体と相談し、予め取り決めた料率を、定められた期日に収めることでコンテンツを配信することが可能となる。また、著作権を保持している管理団体から使用が認められたマークや承諾番号を取得し、コンテンツページに表示することができる。
【００７０】
また、実施形態においては、アーティストグッズを購入することでパスコードを入手してアーティストのコンテンツを楽しむことができるが、更にパスコードと色々な特典を結び付けることで、ユーザーに特典を提供することができる。例えば、ＣＤを購入して、ＣＤに付けられているパスコードでアーティストのコンテンツを楽しんだ後に、ユーザーがアーティストのコンサート会場でパスコードを提示すると、ＤＶＤを割引価格で特別に購入できるなどの特典を提供する。更に、パスコードを提示してＤＶＤを購入したユーザーに対して、アーティストのサイン入りのポスターがもらえるなどの特典を提供する。なお、コンサート会場で提示されたパスコードについては、アーティストのＣＤに付けられたパスコードであるかなどの認証が行われる。このように、１つのパスコードでコンテンツを楽しめるだけでなく、色々な特典を連鎖させてユーザーに提供することができる。
【００７１】
このような本発明のコンテンツサービスシステムは、パスコードの発行からパスコードをアーティストグッズに付加し、パスコードによってコンテンツを提供するか否かを判断するなどの管理を一括して行い、またユーザーが各種コンテンツが楽しめるエンタテインメントコンテンツプラットホームを提供できる。例えば、アーティスト個人やアーティストが所属する音楽事務所である顧客は、エンタテインメントコンテンツプラットホームの提供者にコンテンツを提供して、アーティストグッズ制作料金を支払うと、提供者はアーティストグッズを制作し、パスコードをアーティストグッズに付加、及びコンテンツ配信を一括で行う。そして、アーティストグッズの販売金額が、顧客が支払ったアーティストグッズの制作金額より大きければ、顧客は収益を上げることができる。また、エンタテインメントコンテンツプラットホームの提供者は、複数のクライアントからアーティストグッズの制作依頼を受け、アーティストグッズ制作金額が一連の管理費用とアーティストグッズの制作費用の合計金額より大きければ、提供者は収益を上げることができる。なお、コンテンツサービス料金はコンテンツの数やプレーヤーの種類ではなく、全てのコンテンツの容量×期間で換算する。
このように、エンタテインメントコンテンツプラットホームの提供者がエンタテインメントコンテンツプラットホームを設けることで、顧客のアーティストグッズの制作、パスコードの発行、アーティストグッズにパスコードを付加、及びアーティストのコンテンツの配信までを一括して管理することにより提供者は収益を得ることができ、また顧客も収益を得ることができる。
【００７２】
以上、具体的な実施の形態により本発明を説明したが、上記実施の形態は本発明の例示であり、この実施の形態に限定されないことは言うまでもない。
【産業上の利用可能性】
【００７３】
本発明は、特権を有したユーザーにだけコンテンツを提供するコンテンツサービスシステムに好適であるが、コンテンツサービスシステムに限られるものではなく、ユーザーに情報を提供する機能を備えている情報システム一般に適用できる。
【符号の説明】
【００７４】
１０・・・・・・コンテンツサービスシステム
２０・・・・・・コンテンツ提供サイトページ
２１・・・・・・「アーティスト」画像
３０・・・・・・アーティスト特設サイトログインページ
３１・・・・・・「パスコード」設定エリア
３２・・・・・・「ログイン」ボタン
４０・・・・・・アーティスト特設サイトページ
４１・・・・・・「再生」ボタン
４２・・・・・・「ダウンロード」ボタン
１００・・・・・・携帯端末
１１０・・・・・・制御部
１１０ａ・・・・・Ｗｅｂサイトクライアント処理部
１２０・・・・・・記憶部
１２０ａ・・・・・コンテンツデータ記憶エリア
１３０・・・・・・操作パネル
１４０・・・・・・操作パネル処理部
１５０・・・・・・音声映像再生処理部
１６０・・・・・・ネットワーク通信部
２００・・・・・・Ｗｅｂサーバー
２１０・・・・・・制御部
２１０ａ・・・・・Ｗｅｂサイトサーバー処理部
２２０・・・・・・記憶部
２２０ａ・・・・・Ｗｅｂサイトページデータ記憶エリア
２２０ｂ・・・・・Ｗｅｂサイトパスコード記憶エリア
２２０ｂ−ｅ・・・アーティスト別エリア
２３０・・・・・・保存部
２３０ａ・・・・・コンテンツデータ保存ボックス
２３０ａ−ｅ・・・アーティスト別エリア
２４０・・・・・・ネットワーク通信部
２５０・・・・・・操作表示部
３００・・・・・・インターネット
４００・・・・・・アクセスポイント
５００・・・・・・ルーター
【図１】
2016126655.tif 000003
【図２】
2016126655.tif 000004
【図３】
2016126655.tif 000005
【図４】
2016126655.tif 000006
【図５】
2016126655.tif 000007
【図６】
2016126655.tif 000008